(57)【要約】【課題】映像表示装置の重量・発熱による着用者の肉体的・精神的負担を軽減できファッション性に優れた映像表示装置装着用衣服を実現する。【解決手段】該映像表示装置装着用衣服は胴部を覆う本体部と、サスペンションとを有し、本体部は肩部から胸部、及び肩部から背部に補強部材を備え、サスペンションは、本体部の肩部若しくは背部の上部に取り付けられ、映像表示装置装着のために背部中央に相対する部分にポケットと、ポケットの領域に映像表示装置の画面を表示する窓と、ポケットと本体部の間にサスペンションパッドとを有し、サスペンションパッドは下端部に腰ベルトを有している。従って該映像表示装置装着用衣服は、映像表示装置の荷重を着用者の胸部、肩部、背部および腰ベルトで分散でき、本体部とサスペンションの間の外気流通で映像表示装置の熱を放熱でき、着用者の背部にフィットするポケットが不自然に膨らむこともなくファッション性を損なうこともない。【選択図】図１
2008170680.tif 000002
【特許請求の範囲】
【請求項１】
着用者の胴部を覆う本体部と、サスペンションとを有する映像表示装置装着用衣服であって、
前記本体部は、肩部から胸部、及び肩部から背部にかけて補強部材を備え、
前記サスペンションは、該サスペンションの上部が前記本体部の肩部、若しくは背部の上部に取り付けられ、且つ映像表示装置を装着するために前記本体部の背部中央領域に相対する部分に設けられたポケットと、このポケットを設けた領域に前記映像表示装置の画面を着用者の後方に表示する窓と、前記ポケットと前記本体部との間に位置する緩衝部材を備えたサスペンションパッドとを有し、
前記サスペンションパッドは、該サスペンションパッドの下端部に着用者が腰に着用するベルトを有することを特徴とする映像表示装置装着用衣服。
【請求項２】
前記緩衝部材は、合成樹脂若しくは合成繊維からなるメッシュ部材を補強部材で補強したものであることを特徴とする請求項１に記載の映像表示装置装着用衣服。
【請求項３】
請求項１に記載の映像表示装置装着用衣服をインナーとし、更にこのインナーの上に着用する上着を有する映像表示装置装着用衣服であって、
前記上着は、前記インナーが有する前記サスペンションの窓に相対する位置に上着背部窓を有し、且つ前記上着背部窓の窓枠部に窓枠補強部材を備えるとともに、更にこの窓枠補強部材の周辺領域に周辺補強部材を備え、
前記周辺補強部材は、前記窓枠補強部材よりも可撓性を有し、且つ前記窓枠補強部材から離れるに従って、更に可撓性に富んでいることを特徴とする映像表示装置装着用衣服。
【請求項４】
前記各補強部材は、金属部材若しくは合成樹脂部材からなる芯材を有する補強部材であることを特徴とする請求項１ないし３の何れかに記載の映像表示装置装着用衣服。
【発明の詳細な説明】
【技術分野】
【０００１】
本発明は、映像表示装置を装着して広告宣伝・案内等をするための、あるいは舞台等において、観客等の注意を惹きつけるための映像表示装置を装着するための衣服に関するものである。
【背景技術】
【０００２】
街頭やイベント会場において、広告宣伝や案内等のため、看板や建物の壁面等に文字や図形等を描いて公衆の関心を惹きつけることが行われるが、こうした看板等は、固定的であるため、歩行者の注意を喚起しにくい。そこで、歩行者の視線を心理的に惹きつけやすい動く広告として、いわゆるサンドイッチマンによる広告宣伝等があるが、さらに人目を惹くため、また夜間においても目立たせるため、サンドイッチマンのための発光パネルが考案され（特許文献１）、また多くの文字や図形、さらには映像（静止画及び動画映像）を表示できる映像表示装置を肩に担ぐ、あるいは衣服の胸部もしくは背部に縫い込む広告宣伝に関する技術が提案された（特許文献２）。
【特許文献１】実用新案登録第３１２６３５２号公報
【特許文献２】特開２０００−２９８４４５号公報
【発明の開示】
【発明が解決しようとする課題】
【０００３】
しかしながら、サンドイッチマンによる広告宣伝等は、広告宣伝等の内容に応じて個別にパネルを製作しなければならず汎用性に乏しく、またパネルを着用するためファッション性に乏しい。また映像表示装置を肩に担いでする広告宣伝等は、広告宣伝等の内容に応じた映像や音声を記録し、それらを再生できるなど汎用性に富むが、映像表示装置を肩に担ぐためファッション性に乏しく、また映像表示装置の重量が着用者の肩に集中してしまうという問題がある。だからといって映像表示装置を衣類の胸部もしくは背部に縫い込んでみても、映像表示装置の重量と映像表示装置が発生する熱とが、着用者の肉体的・精神的負担となって、また映像表示装置を装着した胸部もしくは背部の姿かたちが不自然でファッション性が害されてしまうという問題がある。
【課題を解決するための手段】
【０００４】
上記課題を解決するため本発明にかかる映像表示装置装着用衣服は、請求項１に記載のとおり、着用者の胴部を覆う本体部と、サスペンションとを有しており、本体部は、肩部から胸部、及び肩部から背部にかけて補強部材を備えている。ここでサスペンションは、その上部が本体部の肩部、若しくは背部の上部に取り付けられて、サスペンションにかかる荷重を本体部の肩部、若しくは背部の上部に伝達し、本体部の補強部材が、上記荷重を更に肩部から背部及び胸部に分散する。また上部が本体部の肩部等に取り付けられたサスペンションは、サスペンションの左右と下部が開放されているから、本体部とスペンションとの間に空気を通流させることができる。更にサスペンションは、映像表示装置を装着するために本体部の背部中央領域に相対する部分に設けられたポケットと、このポケットを設けた領域に映像表示装置の画面を着用者の後方に表示する窓と、ポケットと本体部との間に位置する緩衝部材を備えたサスペンションパッドとを有しており、またサスペンションパッドは、その下端部に腰ベルトを有している。
【０００５】
従って該映像表示装置装着用衣服は、ポケットに装着された映像表示装置の荷重を、サスペンションと本体部の補強部材を介して着用者の肩部、胸部及び背部に分散するとともに、サスペンションパッドと腰ベルトを介して腰にも分散することができ、また本体部とサスペンションとの間に外部からの空気を通流させて、映像表示装置の発熱を放熱することができる。こうして該映像表示装置装着用衣服は、映像表示装置の重量と発熱による着用者の肉体的・精神的負担を軽減することができる。
【０００６】
またポケットは、本体部の背部中央に位置付けられて（着用者の肩甲骨の下方と腰骨との間に位置付けられて）、着用者の背部にフィットするから、該映像表示装置装着用衣服は、映像表示装置を装着したポケットが不自然に膨らむこともなく、ファッション性が損なわれることもない。
請求項２に記載のように、サスペンションパッドの緩衝部材として、合成樹脂若しくは合成繊維からなるメッシュ部材を補強部材で補強したものを用いることによって、映像表示装置の重量を、サスペンションパッドを介し着用者の腰に更に良好に分散することができるから、また映像表示装置から着用者の背部に伝わる熱量をより軽減できるから（サスペンションパッドが断熱作用を発揮するから）、該映像表示装置装着用衣服は、着用者の肉体的・精神的負担をさらに軽減できる。
【０００７】
請求項３に記載のように、請求項１に記載の映像表示装置装着用衣服をインナーとし、更にこのインナーの上に着用する上着を有する映像表示装置装着用衣服であって、サスペンションに開口した窓に相対する位置に上着背部窓を有する上着は、インナーの窓の周辺領域（周囲）を覆うことができる。ここで上着背部窓の窓枠部に窓枠補強部材を備えるとともに、窓枠補強部材の周辺領域に周辺補強部材を備え、この周辺補強部材を、窓枠補強部材よりも可撓性に富み且つ窓枠補強部材から離れるに従い更に可撓性を増すものとすることによって、該映像表示装置装着用衣服は、上着背部窓の枠部の硬さを維持しつつ、上着背部窓の近傍領域から離れるに従い上着の可撓性を増す（柔らかくする）ことができるから、上着背部窓の周辺領域の膨らみに不自然な不連続部分（膨らみの不連続線等）を生じることなくファッション性を一層向上させることができる。
【０００８】
請求項４に記載のように、本体部の補強部材に金属部材若しくは合成樹脂部材からなる芯材を有する補強部材を用いることによって、本体部においては、映像表示装置の荷重を、サスペンションから本体部の肩部、若しくは背部の上部を介し、着用者の肩部、胸部及び背部に良好に分散することができる。また緩衝部材においては、メッシュ部材を補強する補強部材に金属部材若しくは合成樹脂部材からなる芯材を有する補強部材を用いることによって、映像表示装置の重量を、腰ベルトを介し着用者の腰に良好に分散することができる。また上着においては、窓枠補強部材及び周辺補強部材に金属部材若しくは合成樹脂部材からなる芯材を有する補強部材を用いることによって、金属部材若しくは合成樹脂部材の可撓性の相違を利用して、上着背部窓の周辺領域の膨らみに不自然な不連続部分が生じないようにすることができる。
【発明の効果】
【０００９】
以上のべたとおり、本発明にかかる映像表示装置装着用衣服によれば、広告宣伝等の内容に応じた映像を記録して適宜画面に再生表示することができる映像表示装置、すなわち広告宣伝等において汎用性に富む映像表示装置を、ファッション性を損なうことなく着用できる映像表示装置装着用衣服を実現でき、また映像表示装置による荷重及び発熱を緩和して、該映像表示装置装着用衣服の着用者の肉体的・精神的負担を軽減できる。
【発明を実施するための最良の形態】
【００１０】
以下、図面を参照して、本発明にかかる映像表示装置装着用衣服を説明する。
【実施例】
【００１１】
図１ないし図９に基づき本発明にかかる映像表示装置装着用衣服の一実施例を説明する。図１は、着用者１の左側方から見た映像表示装置装着用衣服２の概略構成を示す図である。映像表示装置装着用衣服２は、着用者１の胴部を覆う本体部１０、及び本体部１０に取り付けられたサスペンション２０を有し、サスペンション２０は更にサスペンションパッド３０を有している。
（本体部の構成）
図２及び図３に示すように本体部１０は、例えば背部布地１１、右胸布地１２、及び左胸布地１３を有しており、背部布地１１の右側上端は右胸布地１２の上端と、背部布地１１の左側上端は左胸布地１３の上端と、それぞれ縫合されており、また右胸布地１２の右側端と背部布地１１の右側端、左胸布地１３の左側端と背部布地１１の左側端は、何れも上腕部を除き縫合されて、本体部１０（ベスト）を形成している。
【００１２】
縫合された背部布地１１の右上端と右胸布地１２の上端の近傍領域、及び背部布地１１の左上端と左胸布地１３の上端の近傍領域は、着用者１の肩にフィットして、本体部１０のそれぞれ右肩部１４ａと左肩部１４ｂを形成している（右肩部１４ａと左肩部１４ｂで肩部１４が構成される）。そして、右胸布地１２から右肩部１４ａを除く領域は本体部１０の右胸部１５ａを形成し、左胸布地１３から左肩部１４ｂを除く領域は本体部１０の左胸部１５ｂを形成している（右胸部１５ａと左胸部１５ｂで胸部１５が構成される）。また、背部布地１１の右側部から右肩部１４ａを除く領域は本体部１０の右背部１６ａを形成し、背部布地１１の左側部から左肩部１４ｂを除く領域は本体部１０の左背部１６ｂを形成している（右背部１６ａと左背部１６ｂで背部１６が構成される）。なお本体部１０の前面では、右胸布地１２と左胸布地１３との間を例えばジッパー若しくはボタン等で綴じることができる。
【００１３】
本体部１０の内部には（本体部１０の裏地と表地との間には）、右肩部１４ａから右胸部１５ａにかけて補強部材１７ａが縫合され（図３）、また右肩部１４ａから右背部１６ａにかけて補強部材１７ａが縫い込まれている（図２）。また、左肩部１４ｂ、左胸部１５ｂ及び左背部１６ｂにも同様に補強部材１７ａが縫合されている（映像表示装置による荷重を広範囲に分散させるためには、肩部１４、胸部１５及び背部１６のなるべく広い領域にかけて補強部材１７ａを縫い込むことが望ましい。なお図２及び図３においては、左肩部１４ｂ、左胸部１５ｂ及び左背部１６ｂにおける補強部材１７ａの記載を省略した）。なお胸部１５側の補強部材１７ａと、背部１６側の補強部材１７ａとは、肩部１４の稜線１４ｃ近傍において不連続である。
【００１４】
ここで補強部材１７ａには、例えばコルセットあるいは膝等のサポーター等に一般的に使用されているスチールボーンあるいはナイロンボーンを用いることができる。スチールボーンは、単数若しくは複数の帯状の鋼材等を筒状の布で覆ったものであり、ナイロンボーンは、単数若しくは複数の細い棒状のナイロンを繊維で編み込んだものであり、何れも布地の表面または裏面に縫合することはもとより、衣服の表地と裏地との間に縫合することもでき、ナイロンボーンは、スチールボーンよりも一般的に可撓性に富んでいるから、衣服に縫合等したときには、衣服が着用者のボディーラインによりフィットする。
【００１５】
なお補強部材１７ａの配列（縫合等）については、上述した例に限定されず、例えば一部の補強部材１７ａを胸部１５側から背部１６側にかけて連続させて、肩部１４を補強しつつ肩部１４を胸部１５、背部１６よりも柔らかくしてもよい。また右背部１６ａ側の補強部材１７ａと、左背部１６ｂの補強部材１７ａとを左右に連結する補強部材１７ａを更に用いてもよい。要するにサスペンションにかかる荷重を、肩部１４、胸部１５及び背部１６に分散するように補強部材１７ａを縫込むことで、サスペンションにかかる荷重を着用者の肩部から背部や胸部に分散して、着用者の肉体的・精神的負担を軽減するのである。
（サスペンションの構成）
図１、図４及び図５に示すようにサスペンション２０は、その上部が肩部１４の背部１６寄り、若しくは背部１６の上部（肩部１４寄り）に縫合されて、本体部１０の背部後ろ上方（図１の矢印Ａ方向）に展開することができる。サスペンション２０の、本体部１０の背部１６の中央領域に相対する部分には、映像表示装置の画面を位置づける窓２１が開口し、また図１及び図５に示すように、窓２１の本体部１０側には、映像表示装置を装着するためのポケット２２が設けられている。ここで窓２１の開口は、映像表示装置の画面の縦横比（アスペクトレシオ）を考慮した形状を有しており（映像表示装置の縦横寸法より小さく、画面と殆ど同一の縦横寸法を有しており）、ポケット２２は、装着する映像表示装置（例えばノートパソコン）の厚さに適合した厚さＷを有し、また映像表示装置が発生する熱を放熱するため、その上端面２２ａ、下端面２２ｂ、右端面２２ｃ、及び左端面２２ｄに適宜開口部を有している。なお窓２１の４辺に補強部材１７ａ等を縫い込むことで、窓２１と映像表示装置の画面との間に不自然な隙間が生じることを防いでもよい。
【００１６】
（サスペンションパッドの構成）
図１に示すようにサスペンションパッド３０は、ポケット２２の本体部１０側の面２２ｅに縫合され、サスペンションパッド３０の下端部３０ａに着用者１が着用するための腰ベルト３１が縫合されている（図１及び図６）。ここでサスペンションパッド３０は、図７に示すように合成樹脂若しくは合成繊維からなるメッシュ部材３２に補強部材１７ｂを取り付けた（縫合等した）緩衝部材３３を有している。補強部材１７ｂは、例えばスチールボーン（若しくはナイロンボーン）であり、図６に示すように、ポケット２２に縫合されたサスペンションパッド３０の上部、中部等にかかる映像表示装置の荷重Ｗｔを下端部３０ａに縫合された腰ベルト３１に伝達する作用を有するとともに、メッシュ部材３２と協働して、映像表示装置が着用者１の背中に当たることによる違和感を緩和する緩衝作用を発揮する（ここでメッシュ部材は、映像表示装置からの熱に対する断熱材としても作用する）。メッシュ部材３２としては、例えばコルセットあるいは膝等のサポーター等に一般的に使用される合成繊維若しくは合成樹脂のメッシュ部材を使用することができる。
【００１７】
なおサスペンションパッド３０は、補強部材１７ｂを有さず、メッシュ部材３２によって、サスペンションパッド３０の上部、中部等にかかる映像表示装置の荷重Ｗｔを下端部３０ａに縫合された腰ベルト３１に伝達するものであってもよい。
（映像表示装置装着用衣服による荷重の分散等）
着用者１の背中の中央部位（例えば肩甲骨の下方と腰骨との間の部位）には、サスペンションが有する窓２１が位置づけられることになる。このとき、映像表示装置による荷重は、肩部１４、胸部１５及び背部１６に分散され、本体部１０とサスペンション２０との間には、空気が通流するから、映像表示装置の発する熱を放熱することができる。また着用者１が腰ベルト３１を腰骨上方に着用することで、映像表示装置による荷重はサスペンションパッド３０と腰ベルト３１を介し着用者１の胴や腰にも分散される。こうして映像表示装置装着用衣服２は、映像表示装置による荷重を着用者１の上半身全域と腰部に分散して、また映像表示装置の発する熱を放熱して、着用者１の肉体的・精神的負担を軽減することができる。また映像表示装置を装着したポケット２２は、着用者１の背中の中央部位に位置して、例えば肩甲骨の下方と腰骨との間の部位にフィットするから、映像表示装置を装着したポケット２２とその近傍領域が不自然に膨らむこともなく、映像表示装置装着用衣服２のファッション性が損なわれることもない。
【００１８】
（上着の構成等）
図８は、映像表示装置装着用衣服２をインナーとする上着４０の背面左上方から見た斜視図である。上着４０は、本体部１０と同様に背部布地４１、右胸布地４２、及び左胸布地４３を有しており、本体部１０と同様に縫合されてベストを形成している。また上着４０は、背部布地４１に上着背部窓４４を有している。着用者１は、映像表示装置装着用衣服２をインナーとして着用したのち、上着４０を着用し、インナーと上着４０とを、ジッパーやボタン等で一体化させる。このとき上着４０は、上着背部窓４４と、サスペンション２０の窓２１とを同位置に位置づけるようになっている。更に上着背部窓４４と窓２１との位置を一致させるため、サスペンション２０を上着４０の背部布地４１にジッパーで一体化させてもよい。
【００１９】
図９に示すように、上着背部窓４４の窓枠部４４ａの４辺の内部（表地と裏地の間）には、窓枠補強部材４５ａが窓枠部４４ａの長方形状に合わせて縫合され、窓枠補強部材４５ａの外側には周辺補強部材４５ｂが、周辺補強部材４５ｂの更に外側には周辺補強部材４５ｃが、それぞれ窓枠部４４ａと略相似形に縫合されている。ここで最も可撓性に富むのは、最も外側に位置する周辺補強部材４５ｃであり、次に可撓性に最も富むのは、周辺補強部材４５ｃの直近内側に位置する周辺補強部材４５ｂであり、最も可撓性が少ないのは最も内側に位置する窓枠補強部材４５ａである。従って窓枠部４４ａの硬度は、窓枠補強部材４５ａで維持される（窓枠補強部材４５ａは、窓枠部４４ａと映像表示装置の画面との間に不自然に隙間が生じることを防ぐ）一方、上着背部窓４４から離れるに従って、補強部材が可撓性に富んで（上着４０が柔らかくなって）、背部窓の周辺領域（周囲）の膨らみに不自然な不連続部分が生じることがないから、上着４０と映像表示装置装着用衣服２からなる映像表示装置装着用衣服は、ファッション性が向上する。
【００２０】
ここで上着背部窓４４の周辺領域に縫い込まれる各補強部材は、上記構成に限定されるものではない。例えば窓枠補強部材４５ａは、窓枠部４４ａの４辺を補強するものであれば、長方形状に配置されなくてもよく（例えば各４辺に分離して縫い込まれていてもよく）、周辺補強部材４５ｂ及び周辺補強部材４５ｃは、窓枠部４４ａと略相似形でなくてもよいし（例えば長方形の各４辺に分離したものでもよく、或いは多角形形状に配置され縫い込まれていてもよいし）、複数の周辺補強部材が窓枠部４４ａ近傍から略放射状に配置されたものであってもよい（周辺補強部材を上記のように配置すれば、上着背部窓４４から離れるに従い、周辺補強部材の間隔が広がって、上着４０が柔らかくなる）。
【００２１】
なお本発明は、上述した実施例に限定されるものではなく、その趣旨を逸脱しない範囲で、適宜変形して実施できる。例えば、映像表示装置装着用衣服（上着を含む）は、ベストに限定されるものではないし、映像だけでなく音声を記録再生することができる映像表示装置を装着するものであってもよい。また補強部材は、可撓性を有するものであれば、金属部材若しくは合成樹脂部材からなる芯材を有するものに限定されない。
【図面の簡単な説明】
【００２２】
【図１】着用者の左側方から見た映像表示装置装着用衣服の概略構成を示す図である。
【図２】図１に示す映像表示装置装着用衣服の本体部を背部左上方から見た斜視図である。
【図３】図１に示す映像表示装置装着用衣服の本体部を前部左上方から見た斜視図である。
【図４】図１に示す映像表示装置装着用衣服の本体部とサスペンションを背部左上方から見た斜視図である。
【図５】図１に示す映像表示装置装着用衣服のサスペンションを背部左上方から見た斜視図である。
【図６】図１に示す映像表示装置装着用衣服のサスペンションパッドを背部左上方から見た斜視図である。
【図７】図６に示すサスペンションパッドが有する緩衝部材の平面概略構成を示す図である。
【図８】上着を背部左上方から見た斜視図である。
【図９】図８に示す上着の背面図である。
【符号の説明】
【００２３】
１  着用者
２  映像表示装置装着用衣服
１０  本体部
１４  肩部
１５  胸部
１６  背部
１７ａ、１７ｂ  補強部材
２０  サスペンション
２１  窓
２２  ポケット
２２ｅ  ポケットの本体部側の面
３０  サスペンションパッド
３０ａ  サスペンションパッドの下端部
３１  腰ベルト
３２  メッシュ部材
３３  緩衝部材
４０  上着
４４  上着背部窓
４４ａ  窓枠部
４５ａ  窓枠補強部材
４５ｂ、４５ｃ  周辺補強部材
【図１】
2008170680.tif 000003
【図２】
2008170680.tif 000004
【図３】
2008170680.tif 000005
【図４】
2008170680.tif 000006
【図５】
2008170680.tif 000007
【図６】
2008170680.tif 000008
【図７】
2008170680.tif 000009
【図８】
2008170680.tif 000010
【図９】
2008170680.tif 000011